(57)【要約】【課題】運営システムの中に同一階層のグループを設定する運営利用者が外部からサービスを受けることを可能にする。【解決手段】複数の第１段グループＡ、Ｂの各々に対応するデータの保護領域に、第２段グループＨ、Ｉと第２段グループＪ、Ｋのデータと、これに属するメンバーのデータとを記憶し、第２段グループＨ、Ｉ、Ｊ、Ｋ毎のデータを第２段グループの登録フォームの提示用データと第２段グループ用のコンテンツのデータを含むデータとし、メンバーのデータをメンバーが属する第２段グループＨ、Ｉ、Ｊ又はＫを特定する特定データとメンバーの固有情報を含むものとし、第１段グループＡ、Ｂに対応する保護領域以外の管理者用保護領域に記憶する管理者認証情報で管理者のログイン操作を認証した場合に、複数の第１段グループＡ、Ｂの全ての各保護領域内の所定データの閲覧を許可するメンバー情報管理システム。【選択図】図３
2016162143.tif 000002
【特許請求の範囲】
【請求項１】
共通性のあるサービスを提供する複数の第１段グループのデータを記憶し、
前記第１段グループの各々に対応する保護領域に、前記第１段グループに属する複数設定可能な第２段グループのデータを記憶し、
前記第２段グループ毎のデータを前記第２段グループの登録フォームの提示用データと前記第２段グループ用のコンテンツの提示用データを含むデータとし、
前記第１段グループの各々に対応する保護領域に、前記登録フォームから登録された、前記第１段グループに属し且つ前記第１段グループ内の前記第２段グループに属するメンバーのデータを記憶し、
前記メンバーのデータを前記メンバーが属する前記第２段グループを特定する特定データと前記メンバーの固有情報を含むものとし、
前記第１段グループに対応する保護領域以外の管理者用保護領域に、管理者認証情報を記憶し、
管理者のログイン操作に応じて前記管理者認証情報で認証した場合に、前記複数の第１段グループの全てについて前記第１段グループに対応する保護領域内の所定データの閲覧を許可する
ことを特徴とするメンバー情報管理システム。
【請求項２】
同一のメンバーが、
同一の前記第１段グループに属する複数の前記第２段グループに対して属するように登録可能であると共に、
前記複数の第１段グループ中における異なる前記第１段グループの前記第２段グループに対して属するように登録可能である
ことを特徴とする請求項１記載のメンバー情報管理システム。
【請求項３】
前記メンバーのデータをメンバーＩＤを有するものとし、
前記第１段グループに対応する保護領域及び前記管理者用保護領域以外のメンバー認証用保護領域に、前記メンバーＩＤに対応するメンバー認証情報を記憶し、
メンバーのログイン操作に応じて前記メンバー認証情報で認証した場合に、前記メンバーＩＤのメンバーが属する前記第２段グループ用のコンテンツの閲覧を許可する
ことを特徴とする請求項１又は２記載のメンバー情報管理システム。
【請求項４】
前記複数の第１段グループ全体における異なる前記第１段グループ内の前記第２段グループに対して属するように登録されている同一のメンバーについて、
前記異なる前記第１段グループ内の前記第２段グループ用のコンテンツの閲覧を許可するための前記メンバーＩＤ及び前記メンバー認証情報を同一にして前記メンバー認証用保護領域に記憶している
ことを特徴とする請求項３記載のメンバー情報管理システム。
【請求項５】
同一のメンバーが、同一の前記第１段グループに属する一の前記第２段グループと他の前記第２段グループに対して属するように登録可能であり、
前記一の第２段グループに登録済みのメンバーが前記他の第２段グループに追加登録する際に、記憶している前記メンバーの所要データを前記他の第２段グループに登録フォームの入力必要項目に反映して提示する
ことを特徴とする請求項１〜４の何れかに記載のメンバー情報管理システム。
【請求項６】
同一のメンバーが、同一の前記第１段グループに属する一の前記第２段グループと他の前記第２段グループに対して属するように登録可能であり、
前記一の第２段グループに登録済みのメンバーによる前記他の第２段グループへの追加登録の要求に応じて、記憶している前記メンバーの所要データに前記他の第２段グループを特定する特定データを追加対応させて記憶させ、
前記一の第２段グループに登録済みのメンバーによる前記他の第２段グループへの変更登録の要求に応じて、記憶している前記メンバーの所要データと対応記憶している前記一の第２段グループを特定する特定データを前記他の第２段グループを特定する特定データに変更して対応記憶させる
ことを特徴とする請求項１〜５の何れかに記載のメンバー情報管理システム。
【請求項７】
前記複数の第１段グループと同一階層にサービスグループのデータを記憶し、
前記サービスグループのデータを、前記複数の第１段グループの各々を運営する運営利用者の固有情報と、前記運営利用者に共通して提供するサービスコンテンツの提示用データを含むデータとする
ことを特徴とする請求項１〜６の何れかに記載のメンバー情報管理システム。
【請求項８】
共通性のあるサービスを提供する複数の第１段グループのデータを記憶し、
前記第１段グループの各々に対応する保護領域に、前記第１段グループに属する複数設定可能な第２段グループのデータを記憶し、
前記第２段グループ毎のデータを前記第２段グループの登録フォームの提示用データと前記第２段グループ用のコンテンツの提示用データを含むデータとし、
前記第１段グループの各々に対応する保護領域に、前記登録フォームから登録された、前記第１段グループに属し且つ前記第１段グループ内の前記第２段グループに属するメンバーのデータを記憶し、
前記メンバーのデータを前記メンバーが属する前記第２段グループを特定する特定データと前記メンバーの固有情報を含むものとし、
前記第１段グループに対応する保護領域以外の管理者用保護領域に、管理者認証情報を記憶し、
管理者のログイン操作に応じて前記管理者認証情報で認証した場合に、前記複数の第１段グループの全てについて前記第１段グループに対応する保護領域内の所定データの閲覧を許可する手段としてコンピュータを機能させる
ことを特徴とするメンバー情報管理プログラム。
【発明の詳細な説明】
【技術分野】
【０００１】
本発明は、複数のメンバーでグループを構成する際に、メンバーやグループの情報を管理するメンバー情報管理システム及びメンバー情報管理プログラムに関する。
【背景技術】
【０００２】
複数のメンバーでグループを構成する際に、メンバーやグループの情報を管理する情報管理システムとして、特許文献１、２の会員情報管理システムがある。特許文献１の会員情報管理システムは、会員の個人情報が登録された会員情報データベースを有する会員情報管理サーバが、会員から送信された要求情報に応じて当該会員が管理者となる新たなグループの結成情報を他の会員のクライアント端末で閲覧可能に登録し、グループ結成情報を閲覧した他の会員からのグループ参加申込み情報を受信し、会員情報データベースにグループ参加申込みを行った他の会員がグループのメンバーとなったことを示す情報を登録し、更に、グループメンバーとなった会員だけが閲覧できる状態でグループの会員を対象とするイベントの開催告知情報を登録したり、イベントに対する会員の出席また欠席の希望を知らせるための出欠連絡情報を登録するものである。このシステムでは、会員情報データベースに登録された会員が自由にグループを結成でき、グループに属するメンバーに対する連絡や情報管理を会員自身でできるようにしている。
【０００３】
また、特許文献２の会員情報管理システムは、ショッピングサイトを運営するウェブサーバを備える管理サーバシステムが、複数の希望者を１つのグループとして登録する旨の要求を受信し、当該要求に基づいて複数の希望者を１つのグループとして登録し、且つグループに属する会員の一人をグループに属する会員の追加又は削除権限を有する管理者として登録し、更に、グループに属する各会員の商品購入実績等の行動をグループの行動として評価し、評価に応じた特典をグループに属する各会員に報知するものである。このシステムでは、グループ登録希望者の申告によりグループ構成を比較的自由に決定できるようにし、グループに属する会員に有利な得点を与えられるようにしている。
【先行技術文献】
【特許文献】
【０００４】
【特許文献１】特開２００７−２１９６７７号公報
【特許文献２】特開２００３−１９６５５３号公報
【発明の概要】
【発明が解決しようとする課題】
【０００５】
ところで、特許文献１、２の会員情報管理システムは、運営システム全体の中に同一階層のグループを登録するものであるが、この運営システムが複数運営される場合、運営システム全体の運営は個々独立して行われることになる。そのため、個々に独立する運営システムの運営利用者側が、システムの運営や管理について、外部からアドバイス、情報提供等のサービスを受けることは困難である。
【０００６】
また、ネットショップ等では、運営システム全体の中に同一階層のグループを設定して事業を行うことに対する要望が多く、斯様な多く要望に応えるには、同一階層のグループを有する全体を上位グループとし、この上位グループの複数を統括して管理できるプラットフォームが求められる。
【０００７】
本発明は上記課題に鑑み提案するものであって、運営システムの中に同一階層のグループを設定して事業等を行う運営利用者が外部からアドバイス、情報提供等のサービスを受けることを可能にすると共に、全体の中に同一階層のグループを設定する運営システムの使用を希望する者が容易に使用することを可能にするメンバー情報管理システム及びメンバー情報管理プログラムを提供することを目的とする。
【課題を解決するための手段】
【０００８】
本発明のメンバー情報管理システムは、共通性のあるサービスを提供する複数の第１段グループのデータを記憶し、前記第１段グループの各々に対応する保護領域に、前記第１段グループに属する複数設定可能な第２段グループのデータを記憶し、前記第２段グループ毎のデータを前記第２段グループの登録フォームの提示用データと前記第２段グループ用のコンテンツの提示用データを含むデータとし、前記第１段グループの各々に対応する保護領域に、前記登録フォームから登録された、前記第１段グループに属し且つ前記第１段グループ内の前記第２段グループに属するメンバーのデータを記憶し、前記メンバーのデータを前記メンバーが属する前記第２段グループを特定する特定データと前記メンバーの固有情報を含むものとし、前記第１段グループに対応する保護領域以外の管理者用保護領域に、管理者認証情報を記憶し、管理者のログイン操作に応じて前記管理者認証情報で認証した場合に、前記複数の第１段グループの全てについて前記第１段グループに対応する保護領域内の所定データの閲覧を許可することを特徴とする。
これによれば、運営利用者が第１段グループに相当する運営システムの中に、同一階層の第２段グループを設定して事業等の運営を行うことができ、更に、共通性のあるサービスを提供する複数の第１段グループの全体において、運営利用者が運営する個々の第１段グループのデータを保護しつつ、複数の第１段グループの全体の管理者が第１段グループ毎の所定データを閲覧できるようにすることで、管理者がこれらの所定データをリソースとして、運営利用者にアドバイス、情報提供等を行うことが可能となる。即ち、第１段グループに相当する運営システムの中に同一階層の第２段グループを設定して事業等を行う運営利用者が、外部からアドバイス、情報提供等のサービスを受けることが可能になる。また、複数の第１段グループの全体を統括して管理するプラットフォームを提供することで、多数の希望者が容易に第１段グループに相当する運営システムの運営利用者になることができ、全体の中に同一階層のグループを設定する運営システムの使用を希望する者が容易に使用することが可能になる。また、第１段グループに相当する運営システムの中に同一階層の第２段グループを設定して運営を行うものであれば、業態を問わず多様な業種の事業者等が使用可能であり、汎用性、柔軟性に優れる。
【０００９】
本発明のメンバー情報管理システムは、同一のメンバーが、同一の前記第１段グループに属する複数の前記第２段グループに対して属するように登録可能であると共に、前記複数の第１段グループ中における異なる前記第１段グループの前記第２段グループに対して属するように登録可能であることを特徴とする。
これによれば、メンバーが任意の第１段グループに相当する運営システム内で異なる第２段グループに属することができると同時に、別の第１段グループに相当する運営システムにも参加することができ、メンバーの便宜性を高めることができる。
【００１０】
本発明のメンバー情報管理システムは、前記メンバーのデータをメンバーＩＤを有するものとし、前記第１段グループに対応する保護領域及び前記管理者用保護領域以外のメンバー認証用保護領域に、前記メンバーＩＤに対応するメンバー認証情報を記憶し、メンバーのログイン操作に応じて前記メンバー認証情報で認証した場合に、前記メンバーＩＤのメンバーが属する前記第２段グループ用のコンテンツの閲覧を許可することを特徴とする。
これによれば、万一、運営利用者が運営する任意の第１段グループに相当する運営システムから登録メンバーに関する情報が流出した場合にも、メンバー認証情報の流出を防止することができ、運営利用者やメンバーのセキュリティを向上することができる。
【００１１】
本発明のメンバー情報管理システムは、前記複数の第１段グループ全体における異なる前記第１段グループ内の前記第２段グループに対して属するように登録されている同一のメンバーについて、前記異なる前記第１段グループ内の前記第２段グループ用のコンテンツの閲覧を許可するための前記メンバーＩＤ及び前記メンバー認証情報を同一にして前記メンバー認証用保護領域に記憶していることを特徴とする。
これによれば、複数の第１段グループとは独立してメンバー認証情報を保護、管理し、万一、運営利用者が運営する任意の第１段グループに相当する運営システムから登録メンバーに関する情報が流出した場合にも、メンバー認証情報の流出を防止でき、運営利用者やメンバーのセキュリティを向上することができる。また、複数の第１段グループに相当する複数の運営システムに参加するメンバーの認証情報の自己管理労力を低減することができる。
【００１２】
本発明のメンバー情報管理システムは、同一のメンバーが、同一の前記第１段グループに属する一の前記第２段グループと他の前記第２段グループに対して属するように登録可能であり、前記一の第２段グループに登録済みのメンバーが前記他の第２段グループに追加登録する際に、記憶している前記メンバーの所要データを前記他の第２段グループに登録フォームの入力必要項目に反映して提示することを特徴とする。
これによれば、第１段グループに属する一の第２段グループに既に登録済みのメンバーが、同一の第１段グループに属する他の第２段グループに追加登録する際の労力を低減することができる。
【００１３】
本発明のメンバー情報管理システムは、同一のメンバーが、同一の前記第１段グループに属する一の前記第２段グループと他の前記第２段グループに対して属するように登録可能であり、前記一の第２段グループに登録済みのメンバーによる前記他の第２段グループへの追加登録の要求に応じて、記憶している前記メンバーの所要データに前記他の第２段グループを特定する特定データを追加対応させて記憶させ、前記一の第２段グループに登録済みのメンバーによる前記他の第２段グループへの変更登録の要求に応じて、記憶している前記メンバーの所要データと対応記憶している前記一の第２段グループを特定する特定データを前記他の第２段グループを特定する特定データに変更して対応記憶させることを特徴とする。
これによれば、第１段グループに属する一の第２段グループに既に登録済みのメンバーが、同一の第１段グループに属する他の第２段グループに追加登録したり、或いは同一の第１段グループに属する他の第２段グループに変更登録することができ、メンバーが属するグループを省労力で柔軟に追加、変更することが可能になる。
【００１４】
本発明のメンバー情報管理システムは、前記複数の第１段グループと同一階層にサービスグループのデータを記憶し、前記サービスグループのデータを、前記複数の第１段グループの各々を運営する運営利用者の固有情報と、前記運営利用者に共通して提供するサービスコンテンツの提示用データを含むデータとすることを特徴とする。
これによれば、別種のシステムリソースを用いずとも、第１段グループのデータ構造を利用して、各第１段グループの運営利用者にアドバイス、情報提供等のサービスを効率的に提供することができると共に、第１段グループに対する管理と同種の管理をサービスグループに対する管理にも利用することが可能になるから、サービスグループに対する管理労力も低減することができる。
【００１５】
本発明のメンバー情報管理プログラムは、共通性のあるサービスを提供する複数の第１段グループのデータを記憶し、前記第１段グループの各々に対応する保護領域に、前記第１段グループに属する複数設定可能な第２段グループのデータを記憶し、前記第２段グループ毎のデータを前記第２段グループの登録フォームの提示用データと前記第２段グループ用のコンテンツの提示用データを含むデータとし、前記第１段グループの各々に対応する保護領域に、前記登録フォームから登録された、前記第１段グループに属し且つ前記第１段グループ内の前記第２段グループに属するメンバーのデータを記憶し、前記メンバーのデータを前記メンバーが属する前記第２段グループを特定する特定データと前記メンバーの固有情報を含むものとし、前記第１段グループに対応する保護領域以外の管理者用保護領域に、管理者認証情報を記憶し、管理者のログイン操作に応じて前記管理者認証情報で認証した場合に、前記複数の第１段グループの全てについて前記第１段グループに対応する保護領域内の所定データの閲覧を許可する手段としてコンピュータを機能させることを特徴とする。
これによれば、運営利用者が第１段グループに相当する運営システムの中に、同一階層の第２段グループを設定して事業等の運営を行うことができ、更に、共通性のあるサービスを提供する複数の第１段グループの全体において、運営利用者が運営する個々の第１段グループのデータを保護しつつ、複数の第１段グループの全体の管理者が第１段グループ毎の所定データを閲覧できるようにすることで、管理者がこれらの所定データをリソースとして、運営利用者にアドバイス、情報提供等を行うことが可能となる。即ち、第１段グループに相当する運営システムの中に同一階層の第２段グループを設定して事業等を行う運営利用者が、外部からアドバイス、情報提供等のサービスを受けることが可能になる。また、複数の第１段グループの全体を統括して管理するプラットフォームを提供することで、多数の希望者が容易に第１段グループに相当する運営システムの運営利用者になることができ、全体の中に同一階層のグループを設定する運営システムの使用を希望する者が容易に使用することが可能になる。また、第１段グループに相当する運営システムの中に同一階層の第２段グループを設定して運営を行うものであれば、業態を問わず多様な業種の事業者等が使用可能であり、汎用性、柔軟性に優れる。
【発明の効果】
【００１６】
本発明によれば、運営システムの中に同一階層のグループを設定して事業等を行う運営利用者が外部からアドバイス、情報提供等のサービスを受けることを可能にすることができると共に、全体の中に同一階層のグループを設定する運営システムの使用を希望する者が容易に使用することが可能になる。
【図面の簡単な説明】
【００１７】
【図１】本発明による実施形態のメンバー情報管理システム、運営利用者端末及びクライアント端末の全体構成を示すブロック図。
【図２】実施形態のメンバー情報管理システムにおけるデータ格納部を示すブロック図。
【図３】（ａ）、（ｂ）は実施形態のメンバー情報管理システムにおける第１段グループデータ格納部を示すブロック図。
【図４】実施形態のメンバー情報管理システムの使用例における第１段グループ、第２段グループ及びメンバーの関係を示すブロック図。
【図５】（ａ）、（ｂ）は実施形態のメンバー情報管理システムの使用例における第１段グループ固有データ格納部の格納テーブルを示す図。
【図６】（ａ）〜（ｄ）は実施形態のメンバー情報管理システムの使用例における第２段グループデータ格納部の格納テーブルを示す図。
【図７】（ａ）、（ｂ）は実施形態のメンバー情報管理システムの使用例における第１段グループデータ格納部の登録フォーム−情報列番号テーブルを示す図。
【図８】（ａ）、（ｂ）は実施形態のメンバー情報管理システムの使用例におけるメンバーデータ格納部のメンバーテーブルを示す図。
【図９】（ａ）、（ｂ）は実施形態のメンバー情報管理システムの使用例におけるメンバーデータ格納部のメンバー情報定義テーブルを示す図。
【図１０】（ａ）、（ｂ）は実施形態のメンバー情報管理システムの使用例におけるメンバーデータ格納部のメンバー情報テーブルを示す図。
【図１１】実施形態のメンバー情報管理システムにおける管理者のデータ閲覧処理の流れを示すフローチャート。
【図１２】実施形態のメンバー情報管理システムにおけるメンバーのコンテンツ閲覧処理の流れを示すフローチャート。
【図１３】実施形態のメンバー情報管理システムにおけるメンバーの第２段グループへの登録処理の流れを示すフローチャート。
【図１４】実施形態のメンバー情報管理システムにおけるメンバーの第２段グループへの追加登録処理の流れを示すフローチャート。
【図１５】実施形態のメンバー情報管理システムにおけるメンバーの第２段グループへの変更登録処理の流れを示すフローチャート。
【図１６】実施形態のメンバー情報管理システムの使用例におけるサービスグループデータ格納部の格納テーブルを示す図。
【図１７】実施形態のメンバー情報管理システムにおける運営利用者のサービスコンテンツ閲覧処理の流れを示すフローチャート。
【図１８】実施形態のメンバー情報管理システムにおける運営利用者の登録フォーム修正処理又はメンバー提供用コンテンツ修正処理の流れを示すフローチャート。
【図１９】（ａ）は第２段グループデータ格納部におけるイベント関連のデータの格納例を示すブロック図、（ｂ）はイベントエントリー処理の例を示すフローチャート。
【図２０】第１段グループデータ格納部内の第１段グループイベントデータ格納部の格納例を示すブロック図。
【図２１】ターゲットＩＤが対応設定されているメンバーデータ格納部のメンバーテーブルの例を示す図。
【発明を実施するための形態】
【００１８】
〔実施形態のメンバー情報管理システム及びメンバー情報管理プログラム〕
本実施形態のメンバー情報管理システムは、図１に示すように、メンバー情報管理装置１で構成され、メンバー情報管理装置１は、社内等の内部又はインターネット等の外部の通信ネットワーク１１を介して、後述する第１段グループを運営する運営利用者の運営利用者端末１２と、第１段グループ内に設定される第２段グループのメンバーのクライアント端末１３と接続される。
【００１９】
メンバー情報管理装置１は、例えば単独のサーバ或いは通信接続された複数のサーバで構成され、所定の制御プログラムに従って処理を実行するＣＰＵ等の制御部２と、メモリやハードディスク等の記憶部３と、キーボード、マウス等の入力部４と、液晶ディスプレイ等の画像表示部５と、通信ネットワーク２を介する通信接続を担う通信部６を備える。
【００２０】
記憶部３は、オペレーティングシステムのプログラムやメンバー情報管理プログラム等のメンバー情報管理装置１の制御プログラムを格納するプログラム格納部３１と、メンバー情報管理プログラムに従う処理で用いるデータを格納するデータ格納部３２を有する。
【００２１】
運営利用者端末１２、クライアント端末１３は、それぞれ例えばパーソナルコンピュータ、スマートフォン等の多機能携帯端末等で構成され、所定の制御プログラムに従って処理を実行するＣＰＵ等の制御部と、メモリやハードディスク等の記憶部と、キーボード、マウス等の入力部と、液晶ディスプレイ等の画像表示部と、通信ネットワーク１１を介する通信接続を担う通信部を備えるものである。
【００２２】
メンバー情報管理装置１のデータ格納部３２には、図２及び図３に示すように、共通性のあるサービスを提供する複数の第１段グループＡ、Ｂのそれぞれのデータを格納する第１段グループデータ格納部３３ａ、３３ｂが互いに隔絶された保護領域に設けられており、第１段グループデータ格納部３３ａ、３３ｂの第１段グループ固有データ格納部３３１ａ、３３１ｂには、第１段グループの第１段グループＩＤ、運営利用者管理アカウント、運営利用者用パスワード等の固有データがそれぞれ設定され格納されている。尚、第１段グループの共通性には、サービス内容の一部或いは全部で共通する性質を有するものが含まれる。なお、第１段グループデータ格納部３３ａ、３３ｂは物理的に隔絶されているのではなく、第１段グループ名を分離条件として論理的に隔絶されている。
【００２３】
図４に示す例、即ち複数の第１段グループをオンラインモール上のテナントとし、第１段グループＡを英語学習会、第１段グループＢをＷｅｂサービス勉強会とし、第１段グループＡの英語学習会に属する第２段グループＨをシルバー会員、第２段グループＩをゴールド会員とし、第２段グループＢのＷｅｂサービス勉強会に属する第２段グループＪをスタンダード会員、第２段グループＫをプレミアム会員として、メンバーＩＤとしてＸ、Ｙ、Ｚを有するメンバーが所望の第２段グループに登録している例では、第１段グループ固有データ格納部３３１ａには、第１段グループＡの第１段グループＩＤ：《A》、運営利用者管理アカウント：admin-A、運営利用者用パスワード：xxaxxx等の固有データが格納され（図５（ａ）参照）、第１段グループ固有データ格納部３３１ｂには、第１段グループＢの第１段グループＩＤ：《B》、運営利用者管理アカウント：admin-B、運営利用者用パスワード：xxbxxx等の固有データが格納される（図５（ｂ）参照）。
【００２４】
更に、図３に示すように、第１段グループデータ格納部３３ａ内には第１段グループＡに属する複数の第２段グループＨ、Ｉのデータを格納する第２段グループデータ格納部３４ｈ、３４ｉが設けられ、第１段グループデータ格納部３３ｂ内には第１段グループＢに属する複数の第２段グループＪ、Ｋのデータを格納する第２段グループデータ格納部３４ｊ、３４ｋが設けられている。第１段グループデータ格納部３３ａと、第１段グループデータ格納部３３ｂは、互いに隔絶された保護領域に設けられていることから、第２段グループデータ格納部３４ｈ、３４ｉは第１段グループＡに対応する保護領域の第１段グループデータ格納部３３ａ内に記憶され、第２段グループデータ格納部３４ｊ、３４ｋは第１段グループＢに対応する保護領域の第１段グループデータ格納部３３ｂ内に記憶されている。
【００２５】
尚、図示例では、第１段グループデータ格納部３３ａ、３３ｂを２個、第１段グループＡに属する第２段グループＨ、Ｉの第２段グループデータ格納部３４ｈ、３４ｉを２個、第１段グループＢに属する第２段グループＪ、Ｋの第２段グループデータ格納部３４ｊ、３４ｋを２個設定している場合としたが、第１段グループ及びこれに対応する第１段グループデータ格納部の個数は複数であれば適宜であり、又、第１段グループの各々に属する第２段グループ及びこれに対応する第２段グループデータ格納部の個数は複数設定可能な前提で単数或いは２個以上の複数の適宜とすることが可能である。
【００２６】
第１段グループデータ格納部３３ａ内の第２段グループデータ格納部３４ｈ、３４ｉには、それぞれ第２段グループＨ、Ｉ毎のデータが格納され、第２段グループデータ格納部３４ｈには、第２段グループＨの第２段グループＩＤと、第２段グループＨが属する第１段グループＡの第１段グループＩＤと、第２段グループＨの登録フォームの提示用データと、第２段グループＨ用のコンテンツの提示用データを含むデータが格納されると共に、第２段グループデータ格納部３４ｉには、第２段グループＩの第２段グループＩＤと、第２段グループＨが属する第１段グループＡの第１段グループＩＤと、第２段グループＩの登録フォームの提示用データと、第２段グループＩ用のコンテンツの提示用データを含むデータが格納される。
【００２７】
第１段グループデータ格納部３３ｂ内の第２段グループデータ格納部３４ｊ、３４ｋには、それぞれ第２段グループＪ、Ｋ毎のデータが格納され、第２段グループデータ格納部３４ｊには、第２段グループＪの第２段グループＩＤと、第２段グループＪが属する第１段グループＢの第１段グループＩＤと、第２段グループＪの登録フォームの提示用データと、第２段グループＪ用のコンテンツの提示用データを含むデータが格納されると共に、第２段グループデータ格納部３４ｋには、第２段グループＫの第２段グループＩＤと、第２段グループＫが属する第１段グループＢの第１段グループＩＤと、第２段グループＫの登録フォームの提示用データと、第２段グループＫ用のコンテンツの提示用データを含むデータが格納される。
【００２８】
第２段グループデータ格納部３４ｈ、３４ｉ、３４ｊ、３４ｋに格納される登録フォームの提示用データは、例えば別途に格納する登録フォームでメンバー希望者から取得する入力必要項目を規定する情報列（情報列番号及びその内容）のデータや別途に格納する登録フォームの表示画面のデータを特定する登録フォームＩＤ等から構成する。別途に入力必要項目を規定する情報列のデータを格納する場所は、第１段グループデータ格納部３３ａ、３３ｂの別の記憶領域とすることが可能であり、又、第２段グループデータ格納部３４ｈ、３４ｉ、３４ｊ、３４ｋに登録フォームでメンバー希望者から取得する入力必要項目を規定する情報列のデータを提示用データとして格納することも可能である。また、別途に登録フォームの表示画面のデータを格納する場所は、例えば第１段グループデータ格納部３３ａ、３３ｂの別の記憶領域或いはデータ格納部３２の別の記憶領域等の適宜箇所とすることが可能であり、又、第２段グループデータ格納部３４ｈ、３４ｉ、３４ｊ、３４ｋに提示用データとして登録フォームの表示画面のデータを格納することも可能である。
【００２９】
第２段グループデータ格納部３４ｈ、３４ｉ、３４ｊ、３４ｋに格納されるコンテンツの提示用データは、例えば別途に格納するメンバー用のコンテンツの表示画面のデータを特定するコンテンツＩＤ等から構成する。別途にコンテンツの表示画面のデータを格納する場所は、例えば第１段グループデータ格納部３３ａ、３３ｂの別の記憶領域或いはデータ格納部３２の別の記憶領域等の適宜箇所とすることが可能であり、又、第２段グループデータ格納部３４ｈ、３４ｉ、３４ｊ、３４ｋに提示用データとしてコンテンツの表示画面のデータを格納することも可能である。
【００３０】
図４の例では、第２段グループデータ格納部３４ｈ、３４ｉ、３４ｊ、３４ｋに、図６（ａ）〜（ｄ）に示す第２段グループ名（メンバーシップ名）、第２段グループＩＤ（メンバーシップＩＤ）、第２段グループが属する第１段グループＩＤ（テナントＩＤ）、第２段グループの登録フォームの提示用データに相当する登録フォームＩＤ、第２段グループ用のコンテンツの提示用データに相当するコンテンツＩＤがそれぞれ格納される。また、第１段グループ固有データ格納部３３１ａ、３３１ｂなど第１段グループデータ格納部３３ａ、３３ｂの別の記憶領域には、図７（ａ）、（ｂ）に示す登録フォームＩＤ、第１段グループＩＤ（テナントＩＤ）、第２段グループに対応して登録フォームでメンバー希望者から取得する入力必要項目を規定する情報列番号を対応させた登録フォーム−情報列番号テーブルがそれぞれ格納される。尚、図７の登録フォーム−情報列番号テーブルの例では、各情報列を登録フォームの表示画面で表示する順番が対応設定されている。
【００３１】
更に、保護領域の第１段グループデータ格納部３３ａには、第１段グループＡに属する第２段グループＨの登録フォーム又は第２段グループＩの登録フォームから登録されたメンバー、即ち第１段グループＡに属し且つ第１段グループＡ内の第２段グループＨ又は第２段グループＩに属するメンバーのデータがメンバーデータ格納部３５ａに記憶されている。同様に、保護領域の第１段グループデータ格納部３３ｂには、第１段グループＢに属する第２段グループＪの登録フォーム又は第２段グループＫの登録フォームから登録されたメンバー、即ち第１段グループＢに属し且つ第１段グループＢ内の第２段グループＪ又は第２段グループＫに属するメンバーのデータがメンバーデータ格納部３５ｂに記憶されている。
【００３２】
メンバーデータ格納部３５ａに記憶されるメンバーのデータには、メンバーが属する第２段グループＨ又は第２段グループＩを特定する特定データである第２段グループＩＤと、第２段グループＨ又はＩが属する第１段グループＡを特定する特定データである第１段グループＩＤと、当該メンバーの固有情報が含まれ、同様に、メンバーデータ格納部３５ｂに記憶されるメンバーのデータには、メンバーが属する第２段グループＪ又は第２段グループＫを特定する特定データである第２段グループＩＤと、第２段グループＪ又はＫが属する第１段グループＢを特定する特定データである第１段グループＩＤと、当該メンバーの固有情報が含まれる。メンバーデータ格納部３５ａ、３５ｂに記憶されるメンバーの固有情報は、例えばメンバーＩＤ、氏名、住所、メールアドレス、電話番号、役職等とされる。
【００３３】
図４の例では、例えば図８のメンバーテーブル、図９のメンバー情報定義テーブルがメンバーデータ格納部３５ａ、３５ｂにそれぞれ設定される構成において、第２段グループＩＤ（メンバーシップＩＤ）、第２段グループＩＤが属する第１段グループＩＤ（テナントＩＤ）、メンバー名、メンバーＩＤ、メールアドレスがメンバーデータ格納部３５ａ、３５ｂに共通して格納され、第１段グループＡのメンバーデータを格納するメンバーデータ格納部３５ａには、住所、氏名、メールアドレス、電話番号がメンバー情報定義テーブルに対応するメンバー情報テーブルとして格納され、第１段グループＢのメンバーデータを格納するメンバーデータ格納部３５ｂには、住所、氏名、役職、電話番号、メールアドレスがメンバー情報定義テーブルに対応するメンバー情報テーブルとして格納される（図１０参照）。図１０のメンバー情報テーブルは、第１段グループＡにおいて、メンバーＩＤ：Ｘのメンバーがシルバー会員、メンバーＩＤ：Ｙのメンバーがゴールド会員であり、第２段グループＢにおいて、メンバーＩＤ：ＹのメンバーとメンバーＩＤ：Ｚのメンバーがプレミアム会員である場合の例を示している。
【００３４】
また、メンバー情報管理装置１のデータ格納部３２には、第１段グループＡ、Ｂに対応する保護領域である第１段グループデータ格納部３３ａ、３３ｂ以外の記憶領域を、第１段グループデータ格納部３３ａ、３３ｂと隔絶された管理者用保護領域として、管理者認証情報を記憶する管理者認証情報格納部３６が設けられる。管理者認証情報格納部３６には、例えば管理者ＩＤと管理者用パスワードが格納される。なお、第１段グループデータ格納部３３ａ、３３ｂと管理者認証情報格納部３６は物理的に隔絶されているのではなく、認証情報を分離条件として論理的に隔絶されている。
【００３５】
更に、メンバー情報管理装置１のデータ格納部３２には、第１段グループＡ、Ｂに対応する保護領域である第１段グループデータ格納部３３ａ、３３ｂと管理者認証情報格納部３６以外の記憶領域を、第１段グループデータ格納部３３ａ、３３ｂ及び管理者認証情報格納部３６と隔絶されたメンバー認証用保護領域として、メンバーＩＤに対応するメンバー認証情報を記憶するメンバー認証情報格納部３７が設けられる。メンバー認証情報格納部３７には、例えばメンバーＩＤとメンバー用パスワードが格納される。なお、このメンバー認証用保護領域の隔絶も、認証情報を分離条件とする論理的な隔絶である。
【００３６】
更に、データ格納部３２には、複数の第１段グループＡ、Ｂについて登録フォームからのメンバー登録処理を支援する登録支援画面が登録支援画面格納部３８にそれぞれ格納される。この登録支援画面は、クライアント端末１３に選択を促して登録フォームまで誘導する画面や、登録を承認した場合の承認画面等を含むものである。
【００３７】
メンバー情報管理プログラムに従って所定処理を実行するメンバー情報管理装置１は、管理者のデータ閲覧処理において、図１１に示すように、入力部４からの入力等による複数の第１段グループで構成されるシステム全体の管理者のログイン操作に応じて、入力された管理者ＩＤに対応して管理者認証情報格納部３６に格納されている管理者ＩＤと対応する管理者用パスワードを抽出し、入力された管理者用パスワードと格納している管理者用パスワードを照合し、認証処理を行う（Ｓ１１、Ｓ１２）。合致して認証した場合には、複数の第１段グループＡ、Ｂの全てについて第１段グループＡ、Ｂに対応する保護領域内の所定データの閲覧、即ち第１段グループデータ格納部３３ａと第２段グループデータ格納部３３ｂに格納されている所定データの閲覧を許可し、これらのデータにアクセスすることが可能となる（Ｓ１３）。この閲覧を許可する所定データは、第１段グループデータ格納部３３ａと第２段グループデータ格納部３３ｂに格納されている全てのデータ或いはこれらの内で予め設定した所定データのみとすることが可能である。
【００３８】
また、メンバー情報管理プログラムに従って所定処理を実行するメンバー情報管理装置１は、メンバーのコンテンツ閲覧処理において、図１２に示すように、クライアント端末１３からの所望の第２段グループ用のコンテンツの閲覧要求、メンバーＩＤ及びメンバー用パスワードの送信によるメンバーのログイン操作の受信に応じて、閲覧要求のコンテンツに対応する第２段グループの第２段グループＩＤを当該メンバーＩＤのメンバーが有するか否かメンバーデータ格納部３５ａ又は３５ｂのメンバーデータで確認し（Ｓ２１、Ｓ２２）、当該メンバーＩＤのメンバーが当該第２段グループＩＤを有し、当該メンバーが当該第２段グループに属することを確認できた場合には、メンバー認証情報格納部３７に格納されている当該メンバーＩＤと対応するメンバー用パスワードを抽出し、受信したメンバー用パスワードと格納しているメンバー用パスワードを照合して認証処理を行い（Ｓ２３）、合致して認証した場合には、当該第２段グループＩＤに対応する第２段グループのコンテンツの閲覧を許可し、当該コンテンツをクライアント端末１３に送信して提示する（Ｓ２４）。尚、メンバー用パスワードの照合、認証処理と、閲覧要求のコンテンツに対応する第２段グループの第２段グループＩＤをメンバーＩＤのメンバーが有することの確認処理は逆の順序で行うことも可能である。
【００３９】
また、メンバー情報管理装置１においては、同一のメンバーが、同一の第１段グループＡに属する複数の第２段グループＨ及び第２段グループＩに対して属するように登録したり、或いは同一の第１段グループＢに属する複数の第２段グループＪ及び第２段グループＫに対して属するように登録することが可能になっている。この場合、メンバーデータ格納部３５ａ或いは３５ｂに記憶されるメンバーのデータには、メンバーが属する第２段グループＨ或いはＪを特定する第２段グループＩＤと、第２段グループＩ或いはＫを特定する第２段グループＩＤがメンバーの固有情報と対応して記憶される。
【００４０】
更に、メンバー情報管理装置１においては、同一のメンバーが、複数の第１段グループＡ、Ｂ中における異なる第１段グループＡ、Ｂについて、第１段グループＡの第２段グループＨ若しくは第２段グループＩ若しくはその双方と、第２段グループＢの第２段グループＪ若しくは第２段グループＫ若しくはその双方に対して属するように登録可能になっている。この場合、第１段グループＡのメンバーデータ格納部３５ａと第１段グループＢのメンバーデータ格納部３５ｂの双方にメンバーの固有情報が記憶され、メンバーデータ格納部３５ａ、３５ｂのそれぞれにおいてメンバーの属する第２段グループの第２グループＩＤがメンバーの固有情報と対応して記憶される（図４、図８参照）。
【００４１】
メンバー情報管理装置１において、メンバーが任意の第１段グループＡ等に対してメンバー登録する際には、図１３に示すように、例えばメンバー情報管理装置１が、クライアント端末１３からのメンバー登録要求の受信に応じて、複数の第１段グループＡ、Ｂ等群に対するメンバーＩＤが記述され、メンバーＩＤに対応する登録パスワードの入力を促すパスワード設定画面を提示し（Ｓ３１）、クライアント端末１３からのパスワード設定画面で入力されたパスワードの受信に応じて、当該メンバーＩＤと登録されたパスワードをメンバー認証情報格納部３７に格納すると共に、メンバー情報管理装置１に設定されている所定の複数の第１段グループＡ、Ｂの選択を促す第１段グループ選択画面を提示する（Ｓ３２）。
【００４２】
メンバー認証情報格納部３７に設定格納されるメンバーＩＤ及びパスワードについて、例えば複数の第１段グループＡ、Ｂ全体における異なる第１段グループＡ、Ｂ内の第２段グループＨ、Ｉ、Ｊ、Ｋに対して属するように同一メンバーが登録した場合には、この同一のメンバーＩＤ及びメンバー認証情報であるパスワードが、第１段グループＡ内の第２段グループＨ又はＩ用のコンテンツの閲覧を許可する認証処理や、第１段グループＢ内の第２段グループＪ又はＫ用のコンテンツの閲覧を許可する認証処理において用いられるようになっており、換言すれば複数の第１段グループＡ、Ｂの全体について共通するメンバーＩＤ及びパスワードとなる。
【００４３】
その後、メンバー情報管理装置１は、クライアント端末４からの第１段グループ選択画面で選択された第１段グループＡの指定の受信に応じて、第１段グループデータ格納部３３ａに第１段グループＩＤに対応する第２段グループＩＤを確認する等で第１段グループＡ内に複数の第２段グループＨ、Ｉが設定されていることを認識した場合には、所定の複数の第２段グループＨ、Ｉの選択を促す第２段グループ選択画面を提示する（Ｓ３３）。尚、第１段グループＡに単数の第２段グループＨ又はＩのみが設定されている場合には、例えば単数の第２段グループＨ又はＩの指定を促す第２段グループ選択画面を提示する。また、Ｓ３２、Ｓ３３において、第１段グループ選択画面を提示せずに、メンバーＩＤと登録されたパスワードをメンバー認証情報格納部３７に格納すると共に、第２段グループ選択画面を直接提示し、例えば後述する第２段グループＨへのメンバー登録が完了した場合には自動的に第２段グループＨが属する第１段グループＡに登録されるようにしてもよい。
【００４４】
その後、メンバー情報管理装置１は、クライアント端末１３からの第２段グループ選択画面で選択或いは指定された第２段グループＨの指定の受信に応じて、第２段グループデータ格納部３４ｈの第２段グループＨの登録フォームの提示用データから登録フォームを取得し、クライアント端末１３の画像表示部からメンバー希望者から取得する第２段グループＨ用の入力必要項目を有する登録フォームを提示する（Ｓ３４）。メンバー情報管理装置１は、クライアント端末１３から登録フォームの入力必要項目に入力されたデータの受信に応じて、入力必要項目の全てにデータが入力されていることを確認し、入力必要項目のデータをメンバーデータ格納部３５ａに格納すると共に、クライアント端末１３に第２段グループＨへのメンバー登録が完了した旨の登録承認画面を送信して提示する（Ｓ３５）。
【００４５】
また、メンバー情報管理装置１において、例えば第１段グループＡの第２段グループＨに既に登録されているメンバーが第１段グループＡの第２段グループＩにメンバーとして追加登録する際には、メンバー情報管理装置１は、図１４に示すように、例えば上記第２段グループ選択画面での第２段グループＩの指定及び追加の入力等による、クライアント端末１３からの第１段グループＡでの第２段グループＩに対するメンバー追加登録要求の受信に応じて、第２段グループデータ格納部３４ｈの第２段グループＩの登録フォームの提示用データから登録フォームを取得し、クライアント端末１３の画像表示部からメンバー希望者から取得する第２段グループＩ用の入力必要項目を有する登録フォームを提示する（Ｓ４１）。この登録フォームの入力必要項目には、当該メンバーのメンバーデータ格納部３５ａに第２段グループＨへの登録時等に既に記憶されている共通情報については反映されて既入力された形式で提示される。
【００４６】
第２段グループＨの登録フォームと第２段グループＩの登録フォームとで入力必要項目が相違する場合には、既登録のメンバーは相違する入力必要項目のみ入力、送信し、メンバー情報管理装置１は、相違する入力必要項目の受信に応じて、当該項目をメンバーデータ格納部３５ａに追加格納し、同じ場合には、既登録のメンバーが確認した入力必要項目の内容の確認情報を受信し、メンバーデータ格納部３５ａの格納データを従前と同じとする。更に、メンバー情報管理装置１は、メンバーデータ格納部３５ａに記憶している当該メンバーの所要データに、追加登録された他の第２段グループＩを特定する特定データに相当する第２段グループＩの第２段グループＩＤを追加対応させて記憶させる（Ｓ４２）。尚、図４〜図１０の例では、第１段グループＡの第２段グループＨに既登録のメンバーが第２段グループＩに追加登録する際に、追加して受信、格納する入力必要項目は役職のみとなる。
【００４７】
また、メンバー情報管理装置１において、例えば第１段グループＡの第２段グループＨに既に登録されているメンバーが第１段グループＡの第２段グループＩにメンバーとして変更登録する際には、メンバー情報管理装置１は、図１５に示すように、例えば上記第２段グループ選択画面での第２段グループＩの指定及び変更の入力等による、クライアント端末１３からの第１段グループＡでの第２段グループＩに対するメンバー変更登録要求の受信に応じて、第２段グループデータ格納部３４ｈの第２段グループＨの登録フォームの提示用データから登録フォームを取得し、クライアント端末１３の画像表示部からメンバー希望者から取得する第２段グループＩ用の入力必要項目を有する登録フォームを提示する（Ｓ５１）。この登録フォームの入力必要項目には、当該メンバーのメンバーデータ格納部３５ａに第２段グループＨへの登録時等に既に記憶されている共通情報については反映されて既入力された形式で提示される。
【００４８】
第２段グループＨの登録フォームと第２段グループＩの登録フォームとで入力必要項目が相違する場合には、既登録のメンバーは相違する入力必要項目のみ入力、送信し、メンバー情報管理装置１は、相違する入力必要項目の受信に応じて、当該項目をメンバーデータ格納部３５ａに追加格納し、同じ場合には、既登録のメンバーが確認した入力必要項目の内容の確認情報を受信し、メンバーデータ格納部３５ａの格納データを従前と同じとする。更に、メンバー情報管理装置１は、メンバーデータ格納部３５ａに記憶している当該メンバーの所要データから、変更前に登録されていた一の第２段グループＨを特定する特定データに相当する第２段グループＨの第２段グループＩＤを削除し、変更登録された他の第２段グループＩを特定する特定データに相当する第２段グループＩの第２段グループＩＤを対応させて記憶させる（Ｓ５２）。尚、図４〜図１０の例では、第１段グループＡの第２段グループＨに既登録のメンバーが第２段グループＩに変更登録する際に、追加して受信、格納する入力必要項目は役職のみとなり、逆の場合は無しとなって確認の送受信だけなされればよい。
【００４９】
また、図２に示すように、複数の第１段グループＡ、Ｂと同一階層には、サービスグループのデータを記憶するサービスグループデータ格納部３９が設けられ、格納されるサービスグループのデータには、複数の第１段グループＡ、Ｂの各々を運営する運営利用者の固有情報と、運営利用者に共通して提供するサービスコンテンツの提示用データが含まれる。なおサービスグループデータ格納部３９は、第１段グループデータ格納部３３ａ、３３ｂと、第１段グループ名、サービスグループ名を分離条件として論理的に隔絶されている。運営利用者は、運営利用者端末１２から通信ネットワーク１１を介してメンバー情報管理装置１に通信接続し、サービスグループデータ格納部３９に格納されているサービスコンテンツを閲覧可能である。サービスグループデータ格納部３９に格納されている運営利用者の固有情報は、例えば運営利用者が運営する第１段グループＡ又はＢを特定する第１段グループＩＤと、第１段グループＩＤに対応する運営利用者用パスワードと、氏名、住所、メールアドレス、電話番号等とされる。
【００５０】
サービスグループデータ格納部３９に格納されるサービスコンテンツの提示用データは、例えば別途に格納する運営利用者用のサービスコンテンツの表示画面のデータを特定するサービスコンテンツＩＤ等から構成する（図１６参照）。別途にサービスコンテンツの表示画面のデータを格納する場所は、データ格納部３２の別の記憶領域等の適宜箇所とすることが可能であり、又、サービスグループデータ格納部３９に提示用データとしてサービスコンテンツの表示画面のデータを格納することも可能である。
【００５１】
運営利用者が運営利用者用のサービスコンテンツを閲覧する場合には、運営利用者端末１２から通信ネットワーク１１を介してメンバー情報管理装置１に通信接続し、メンバー情報管理装置１は、図１７に示すように、コンテンツ閲覧要求の受信に応じて運営利用者用認証画面を提示し（Ｓ６１）、運営利用者用認証画面から入力された運営利用者が運営する第１段グループＡ又はＢを特定する第１段グループＩＤと、第１段グループＩＤに対応する運営利用者用パスワードの受信に応じて、サービスグループデータ格納部３９に格納されている第１段グループＩＤ及び運営利用者用パスワードと照合して認証し（Ｓ６２）、認証した場合にはサービスグループデータ格納部３９に格納されているサービスコンテンツＩＤに対応するサービスコンテンツを読み出して運営利用者端末１２に提示する（Ｓ６３）。
【００５２】
また、運営利用者が第１段グループＡ又はＢに属する第２段グループＨ、Ｉ又はＪ、Ｋの登録フォームの入力必要項目を修正する場合やメンバーに提供するコンテンツを変更修正する場合には、運営利用者端末１２から通信ネットワーク１１を介してメンバー情報管理装置１に通信接続し、メンバー情報管理装置１は、図１８に示すように、登録フォームの入力必要項目の修正要求又はメンバーに提供するコンテンツの変更修正要求の受信に応じて、運営利用者用認証画面を提示し（Ｓ７１）、運営利用者用認証画面から入力された運営利用者が運営する第１段グループＡ又はＢを特定する第１段グループＩＤと、第１段グループＩＤに対応する運営利用者用パスワードの受信に応じて、第１段グループ固有データ格納部３３１ａ又は３３１ｂに格納されている第１段グループＩＤ及び運営利用者用パスワードと照合して認証処理を行う（Ｓ７２）。
【００５３】
認証した場合には、例えば第１段グループデータ格納部３３ａ又は３３ｂに格納されている登録フォーム−情報列番号テーブル（図７参照）の入力必要項目の情報列の内容を修正可能に運営利用者端末１２に提示し、又は、例えば第１段グループデータ格納部３３ａ又は３３ｂの第２段グループデータ格納部３４ｈ、３４ｉ又は３４ｊ、３４ｋに格納されているメンバーに提供するコンテンツのコンテンツＩＤ（図６参照）を変更修正可能に運営利用者端末１２に提示する（Ｓ７３）。
【００５４】
本実施形態のメンバー情報管理システムによれば、運営利用者が第１段グループに相当する運営システムの中に、同一階層の第２段グループを設定して事業等の運営を行うことができ、更に、共通性のあるサービスを提供する複数の第１段グループの全体において、運営利用者が運営する個々の第１段グループのデータを保護しつつ、複数の第１段グループの全体の管理者が第１段グループ毎の所定データを閲覧できるようにすることで、管理者がこれらの所定データをリソースとして、運営利用者にアドバイス、情報提供等を行うことが可能となる。即ち、第１段グループに相当する運営システムの中に同一階層の第２段グループを設定して事業等を行う運営利用者が、外部からアドバイス、情報提供等のサービスを受けることが可能になる。
【００５５】
また、複数の第１段グループの全体を統括して管理するプラットフォームを提供することで、多数の希望者が容易に第１段グループに相当する運営システムの運営利用者になることができ、全体の中に同一階層のグループを設定する運営システムの使用を希望する者が容易に使用することが可能になる。また、第１段グループに相当する運営システムの中に同一階層の第２段グループを設定して運営を行うものであれば、業態を問わず多様な業種の事業者等が使用可能であり、汎用性、柔軟性に優れる。
【００５６】
また、メンバーが任意の第１段グループに相当する運営システム内で異なる第２段グループに属することができると同時に、別の第１段グループに相当する運営システムにも参加することができ、メンバーの便宜性を高めることができる。また、第１段グループに属する一の第２段グループに既に登録済みのメンバーが、同一の第１段グループに属する他の第２段グループに追加登録したり、或いは同一の第１段グループに属する他の第２段グループに変更登録することを可能にして、メンバーが属するグループを省労力で柔軟に追加、変更することが可能になる。
【００５７】
また、メンバー認証用保護領域に、メンバーＩＤに対応するメンバー用のパスワードを記憶することにより、複数の第１段グループとは独立して同一のメンバー用のパスワードを保護、管理し、万一、運営利用者が運営する任意の第１段グループに相当する運営システムから登録メンバーに関する情報が流出した場合にも、メンバー認証情報の流出を防止でき、運営利用者やメンバーのセキュリティを向上することができる。また、複数の第１段グループに相当する複数の運営システムに参加するメンバーの認証情報の自己管理労力を低減することができる。
【００５８】
また、第１段グループに属する一の第２段グループに既に登録済みのメンバーが、同一の第１段グループに属する他の第２段グループに追加登録する際に、既に記憶保持している情報を登録フォームの入力必要項目に反映して提示することにより、メンバー登録の労力を低減することができる。
【００５９】
また、複数の第１段グループと同一階層にサービスグループデータ格納部３９を設けることにより、別種のシステムリソースを用いずとも、第１段グループのデータ構造を利用して、各第１段グループの運営利用者にアドバイス、情報提供等のサービスコンテンツによるサービスを効率的に提供することができると共に、第１段グループに対する管理と同種の管理をサービスグループに対する管理にも利用することが可能になるから、サービスグループに対する管理労力も低減することができる。
【００６０】
〔実施形態の変形例等〕
本明細書開示の発明は、各発明や実施形態の構成の他に、適用可能な範囲で、これらの部分的な構成を本明細書開示の他の構成に変更して特定したもの、或いはこれらの構成に本明細書開示の他の構成を付加して特定したもの、或いはこれらの部分的な構成を部分的な作用効果が得られる限度で削除して特定した上位概念化したものを含むものである。そして、下記変形例も包含する。
【００６１】
例えば本発明のメンバー情報管理システム或いはメンバー情報管理装置には、制御部２の一部或いは全部と、記憶部３の一部或いは全部が遠隔地に設けられ、通信ネットワークで接続して構成されるものが適宜含まれる。また、複数の第１段グループが提供する共通性のあるサービスは、上記実施形態の学習サービスの他、例えば旅行、イベント等のチケット販売、物品販売など、何らかの共通性のあるサービスであれば包含され、有償提供のサービスと無償提供のサービスの双方が含まれる。
【００６２】
また、例えば第２段グループデータ格納部３４ｈ等のコンテンツ格納部３４１ｈにイベントエントリーコンテンツ格納部３４１１ｈとイベントコンテンツ格納部３４１２ｈを設けると共に、第２段グループデータ格納部３４ｈにイベントエントリーデータ格納部３４２ｈを設け、メンバー情報管理装置１の制御部２が、第２段グループのメンバーにコンテンツとしてイベントエントリーコンテンツを提示し、クライアント端末からの特定のイベントへのエントリー入力の受信に応じて、特定のイベントのイベントＩＤとエントリー入力を受けたメンバーのメンバーＩＤとを対応させてイベントエントリーデータ格納部３４２ｈに格納し、所定時期の到来により、クライアント端末からのイベントコンテンツの提示要求に応じてイベントコンテンツをクライアント端末に提示する等でイベントを提供する構成とすると好適である（図１９参照）。このイベントは、オンライン上で提供可能なもの以外に、特定の場所で開催される会合、興行等の催しでもよい。
【００６３】
イベントエントリーコンテンツは、特定のイベントのエントリー可能なものであれば適宜であり、例えばイベント名称、イベントの説明、インストラクター、会場、定員数、チケット情報等のイベント内容と、開催期間又は提供期間等で構成するコンテンツとするが、イベント名称、イベントの説明、インストラクター、会場、定員数、チケット情報等のイベント内容と、そのイベントの開催期間又は提供期間を別にしてイベントエントリーコンテンツ格納部３４１１ｈ等に格納し、このイベントの開催期間又は提供期間にイベントＩＤを対応させてイベント内容をイベントエントリーコンテンツ格納部３４１１ｈ等に格納し、このイベントＩＤとメンバーＩＤを対応してイベントエントリーデータ格納部３４２ｈに格納することにより、エントリーを行うようにすると好適である。
【００６４】
また、第１段グループデータ格納部３３ａ等に第１段グループイベントデータ格納部３５１ａ等を設け、第１段グループイベントデータ格納部３５１ａ内のコンテンツ格納部３５２ａ内にイベントエントリーコンテンツ格納部３５２１ａとイベントコンテンツ格納部３５２２ａを設けると共に、第１段グループイベントデータ格納部３５１ａ内にイベントエントリーデータ格納部３５３ａを設け、メンバー情報管理装置１の制御部２が、第１段グループのメンバーにコンテンツとしてイベントエントリーコンテンツを提示し、クライアント端末からの特定のイベントへのエントリー入力の受信に応じて、特定のイベントのイベントＩＤとエントリー入力を受けたメンバーのメンバーＩＤとを対応させてイベントエントリーデータ格納部３５３ａに格納し、所定時期の到来により、クライアント端末からのイベントコンテンツの提示要求に応じてイベントコンテンツをクライアント端末に提示する等でイベントを提供する構成としてもよい（図２０参照）。イベントの内容、イベントエントリーコンテンツの内容、これらの格納の仕方、イベント自体については、図１９の例と同様の構成を適宜用いることが可能である。
【００６５】
また、例えば所定のターゲットを規定するターゲットＩＤを入力し、メンバー情報管理装置１の制御部２が、メンバーデータ格納部のメンバーテーブルに各メンバーに対応するターゲットＩＤを設定して格納すると共に、ターゲットＩＤを特定した抽出入力に応じて、特定のターゲットＩＤを有するメンバーのみを抽出して出力する構成とし、所定の属性を有するメンバーに対して特典やイベント等の推奨を行いやすくすると好適である（図２０参照）。
【００６６】
特定のターゲットＩＤは、例えば特定の第２段グループに属するメンバーの全員、又はその中から所定条件で選択したメンバーのみ、又は、その中から特定のイベントに参加したメンバーのみ等で適宜設定することが可能である。
【産業上の利用可能性】
【００６７】
本発明は、例えば複数種のネットショップ、ネットサービスがオンラインモール上で運営され、ネットショップやネットサービス毎に一般会員や上級会員でグループ分けされる事業形態の情報管理システムに利用することができる。
【符号の説明】
【００６８】
１…メンバー情報管理装置  ２…制御部  ３…記憶部  ３１…プログラム格納部  ３２…データ格納部  Ａ、Ｂ…第１段グループ  ３３ａ、３３ｂ…第１段グループデータ格納部  ３３１ａ、３３１ｂ…第１段グループ固有データ格納部  Ｈ、Ｉ、Ｊ、Ｋ…第２段グループ  ３４ｈ、３４ｉ、３４ｊ、３４ｋ…第２段グループデータ格納部  ３４１ｈ…コンテンツ格納部  ３４１１ｈ…イベントエントリーコンテンツ格納部  ３４１２ｈ…イベントコンテンツ格納部  ３４２ｈ…イベントエントリーデータ格納部  ３５ａ、３５ｂ…メンバーデータ格納部  ３５１ａ…第１段グループイベントデータ格納部  ３５２ａ…コンテンツ格納部  ３５２１ａ…イベントエントリーコンテンツ格納部  ３５２２ａ…イベントコンテンツ格納部  ３５３ａ…イベントエントリーデータ格納部  ３６…管理者認証情報格納部  ３７…メンバー認証情報格納部  ３８…登録支援画面格納部  ３９…サービスグループデータ格納部  ４…入力部  ５…画像表示部  ６…通信部  １１…通信ネットワーク  １２…運営利用者端末  １３…クライアント端末
【図１】
2016162143.tif 000003
【図２】
2016162143.tif 000004
【図３】
2016162143.tif 000005
【図４】
2016162143.tif 000006
【図５】
2016162143.tif 000007
【図６】
2016162143.tif 000008
【図７】
2016162143.tif 000009
【図８】
2016162143.tif 000010
【図９】
2016162143.tif 000011
【図１０】
2016162143.tif 000012
【図１１】
2016162143.tif 000013
【図１２】
2016162143.tif 000014
【図１３】
2016162143.tif 000015
【図１４】
2016162143.tif 000016
【図１５】
2016162143.tif 000017
【図１６】
2016162143.tif 000018
【図１７】
2016162143.tif 000019
【図１８】
2016162143.tif 000020
【図１９】
2016162143.tif 000021
【図２０】
2016162143.tif 000022
【図２１】
2016162143.tif 000023